(57)【要約】      （修正有）【課題】多孔アングル材を使用した作業現場での組立を簡単且つ容易にする配管支持装置を提供する。【解決手段】吊りボルト３２により懸架して配管３４を支持する配管支持装置１０は、一対の多孔アングル材１２とアングル連結装置１６で構成する。アングル連結装置１６に、一対の多孔アングル材１２の長孔１４を形成した縦辺１２ａを垂直下向きに収納して横辺１２ｂが横向き外側にＴ形に開いた状態とし、横方向にボルトを貫通してナットにより締結固定する。【選択図】図１
0003183555.tif 000002
【実用新案登録請求の範囲】
【請求項１】
吊りボルトにより懸架して配管を支持する配管支持装置に於いて、
断面Ｌ形を有し、少なくとも一辺の長手方向に所定ピッチで長孔を複数形成した一対の多孔アングル材と、
所定の厚みを持つ板部の両側に、前記多孔アングル材の一辺を上部から垂直下向きに収納するアングル取付部を設けると共に、前記板部及びアングル取付部を横方向に貫通する通し穴を設けたアングル連結手段と、
を備え、
前記アングル連結手段の一対のアングル取付部に、前記一対の多孔アングル材の前記長孔を形成した一辺を垂直下向きに収納して他の一辺が横向き外側にＴ形に開いた状態とし、前記通し穴及び長穴にボルトを貫通してナットにより前記一対の多孔アングル材を締結固定してなることを特徴とする配管支持装置。
【請求項２】
請求項１記載の配管支持装置に於いて、前記アングル連結手段を、前記一対の多孔アングル材の少なくとも両端側の２箇所に配置して締結固定したことを特徴とする配管支持装置。
【請求項３】
請求項１記載の配管支持装置に於いて、前記アングル連結手段は、前記一対の多孔アングル材の間に、吊りボルト及び配管取り付けボルトを貫通可能な隙間を形成するように、前記一対の多孔アングル材を締結固定してなることを特徴とする配管支持装置。
【考案の詳細な説明】
【技術分野】
【０００１】
本考案は、多孔アングル材を組み合わせて排水管や水道管等の配管を建物内で支持固定する配管支持装置に関する。
【背景技術】
【０００２】
従来、ビルやマンション等の建築構造物に設置される水回りの配管設備にあっては、例えば図５及び図６に示すような配管支持装置を使用して配管の設置と固定を行っている。
【０００３】
図５及び図６において、配管支持装置１００は、断面Ｌ形で一辺の長手方向に長穴を一定ピッチで形成した一対の多孔アングル材１０２を、その間にスペーサ金板１０４を入れ、溶接により固定した構造としている。このような構造の配管支持装置１００は、作業現場に溶接装置を搬入し、そこで溶接装置を使用して現場作業として組み立てている。
【０００４】
配管支持装置１００の設置は、天井側に２本の吊りボルト１０６を固定し、吊りボルト１０６を多孔アングル材１０２の間の隙間を通して上部と下部にナットを入れて締め付け固定し、任意の高さに懸架する。この状態で配管支持装置１００の上部に配管１０８を配置し、Ｕ形ボルト１１０を配管１０８に装着してボルト端を多孔アングル材１０２の間の隙間を通して下部に取り出し、そこにナットを入れて締め付け固定している。
【先行技術文献】
【特許文献】
【０００５】
【特許文献１】特開２００６−２８３５１４号公報
【考案の概要】
【考案が解決しようとする課題】
【０００６】
しかしながら、このような多孔アングル材を使用した従来の配管支持装置にあっては、溶接装置を使用した現場作業により組み立てており、アーク溶接装置の場合は電源の確保が必要であり、またガス溶接装置の場合にはガスボンベの搬入を必要とし、スペース的に制約のある場所での作業となり、そのために手間と時間がかかるという問題がある。
【０００７】
本考案は、多孔アングル材を使用した場合の作業現場での組立を簡単且つ容易にする配管支持装置を提供することを目的とする。
【課題を解決するための手段】
【０００８】
本考案は、吊りボルトにより懸架して配管を支持する配管支持装置に於いて、
断面Ｌ形を有し、少なくとも一辺の長手方向に所定ピッチで長孔を複数形成した一対の多孔アングル材と、
所定の厚みを持つ板部の両側に、多孔アングル材の一辺を上部から垂直下向きに収納するアングル取付部を設けると共に、板部及びアングル取付部を横方向に貫通する通し穴を設けたアングル連結手段と、
を備え、
アングル連結手段の一対のアングル取付部に、一対の多孔アングル材の長孔を形成した一辺を垂直下向きに収納して他の一辺が横向き外側にＴ形に開いた状態とし、通し穴及び長穴にボルトを貫通してナットにより一対の多孔アングル材を締結固定してなることを特徴とする。
【０００９】
ここで、アングル連結手段を、一対の多孔アングル材の少なくとも両端側の２箇所に配置して締結固定する。
【００１０】
また、アングル連結手段は、一対の多孔アングル材の間に、吊りボルト及び配管取り付けボルトを貫通可能な隙間を形成するように、一対の多孔アングル材を締結固定してなる。
【考案の効果】
【００１１】
本考案の配管支持装置によれば、断面Ｌ形を有し、少なくとも一辺の長手方向に所定ピッチで長孔を複数形成した一対の多孔アングル材と、所定の厚みを持つ板部の両側に、多孔アングル材の一辺を上部から垂直下向きに収納するアングル取付部を設けると共に、板部及びアングル取付部を横方向に貫通する通し穴を設けたアングル連結手段とを備え、アングル連結手段の一対のアングル取付部に、一対の多孔アングル材の長孔を形成した一辺を垂直下向きに収納して他の一辺が横向き外側にＴ形に開いた状態とし、通し穴及び長穴にボルトを貫通してナットにより一対の多孔アングル材を締結固定するようにしたため、溶接装置を必要とすることなく、作業現場において簡単且つ容易に多孔アングル材をアングル連結手段により組み立てることができ、工事作業の効率を大幅に高めることができる。
【００１２】
また、アングル連結手段は、一対の多孔アングル材の締結固定に先立ち、一対のアングル取付部に、一対の多孔アングル材の長孔を形成した一辺を垂直下向きに収納することで、一対の多孔アングル材の他の一辺が横向き外側にＴ形に開いた位置決め状態とすることができ、通し穴及び長穴にボルトを貫通してナットにより一対の多孔アングル材を締結固定した場合の組立精度を容易に確保することを可能とする。
【００１３】
また、多孔アングル材として、一辺の長手方向に所定ピッチで長孔を複数形成したものを使用することで、各辺の長手方向に所定ピッチで長孔を複数形成したものに比べ、配管支持装置の強度を高めることができる。
【図面の簡単な説明】
【００１４】
【図１】本考案による配管支持装置の実施形態を示す説明図
【図２】図１の配管支持装置を横方向から示した説明図
【図３】アングル連結装置による多孔アングル材の連結部分を取り出して示した説明図
【図４】アングル連結装置の実施形態を示した説明図
【図５】従来の配管支持装置を示した説明図
【図６】図５の従来の配管支持装置を横方向から示した説明図
【考案を実施するための形態】
【００１５】
図１は本考案による配管支持装置の実施形態を示す説明図、図２は図１の配管支持装置を横方向から示した説明図である。
【００１６】
図１及び図２に示すように、本考案の配管支持装置１０は、一対の多孔アングル材１２と、アングル連結手段として機能する少なくとも２つのアングル連結装置１６で構成する。
【００１７】
多孔アングル材１２は、断面Ｌ形を有し、縦辺１２ａの長手方向に所定ピッチで長孔１４を複数形成し、これにより任意の位置にボルト等による締結を可能とし、また横辺１２ｂはフラットな面として強度を確保している。
【００１８】
アングル連結装置１６は、一対の多孔アングル材１２の長孔１４を形成した縦辺１２ａを垂直下向きに収納して横辺１２ｂが横向き外側にＴ形に開いた状態とし、横方向からボルト２６を貫通してナット２８により一対の多孔アングル材１２を締結固定している。
【００１９】
図３はアングル連結装置の実施形態を示した説明図である。尚、図３（Ａ）はアングル連結装置の正面、図３（Ｂ）は側面、図３（Ｃ）は断面、図３（Ｄ）は平面を示す。
【００２０】
図３に示すように、アングル連結装置１６は、金属性で所定の厚みを持つ矩形の板部２０の両側にアングル取付部１８を溶接などにより固定している。アングル取付部１８は、多孔アングル材１２の縦辺１２ａを上部から垂直下向きに収納するＵ形に屈曲形成した収納部１８ａを設け、収納部１８ａを横方向に貫通する通し穴１８ｂを形成している。また板部２０にも、アングル取付部１８の通し穴１８ｂに続く通し穴２２ａを形成している。
【００２１】
図４はアングル連結装置による多孔アングル材の連結部分を取り出して示した説明図であり、図４（Ａ）はアングル連結装置による連結部分の正面、図４（Ｂ）は側面、図４（Ｃ）は断面を示す。
【００２２】
図４に示すように、現場における配管支持装置１０の組立は、アングル連結装置１６の両側に位置する一対のアングル取付部１８ａの中に、一対の多孔アングル材１２の端部側の長孔１４を形成した縦辺１２ａを垂直下向きに嵌め入れ、横辺１２ｂが横向き外側にＴ形に開いた状態とする。続いてアングル連結装置１６の通し穴１８ｂ，２２ａを多孔アングル材１２の通し穴１４に位置決めし、この位置決め状態で、通し穴１８ａ、長穴１４、通し穴２２ａ、長穴１４及び通し穴１８ｂの順にボルト２６を貫通し、ワッシャ３０を介してナット２８を捻じ込んで、一対の多孔アングル材１２を締結固定して配管支持装置１０として組み立てる。
【００２３】
ここで、アングル連結装置１６は、一対の多孔アングル材１２を締結固定して組み立てた状態で、一対の多孔アングル材１２の間に、吊りボルト及び配管取り付けボルト等を貫通可能な隙間を形成するように、板部２０の厚さ及びアングル取付部１８の厚さを決めている。
【００２４】
このように組み立てられた本考案の配管支持装置１０は、図１及び図２に示すように、天井側に２本の吊りボルト３２を固定し、吊りボルト３２を配管支持装置１０における一対の多孔アングル材１２の間の隙間を通して上部と下部にナットを入れて締め付け固定し、任意の高さに懸架する。この状態で配管支持装置１０の上部に配管３４を配置し、Ｕ形ボルト３６を配管３４に装着してボルト端を一対の多孔アングル材１２の間の隙間を通して下部に取り出し、そこにナットを入れて締め付け固定する。
【００２５】
また、配管支持装置１０における一対の多孔アングル材１２の間の隙間から下側に吊りボルト３８をナット締めにより固定し、吊りボルト３８の先端に、開閉型の配管支持金具４０を固定し、そこに配管３４を通して支持している。
【００２６】
このような本考案の配管支持装置１０による配管３４の支持において、アングル連結装置１６により組立固定した一対の多孔アングル材１２は、その縦辺１２ａに所定ピッチで長穴１４を形成しているが、横辺１２ｂは長穴を設けていないフラットな面であり、縦辺及び横辺の両方に長穴を所定ピッチで形成した所謂スーパーアングルとして知られた多孔アングル材を使用する場合に比べ、複数の配管３４を支持するために十分な支持強度を確保することができる。
【００２７】
なお、上記の実施形態は、一対の多孔アングル材の両側にアングル連結装置を設けているが、多孔アングル材が長くなる場合には、両側を含む３箇所以上に設けても良い。
【００２８】
また、多孔アングル材の長さも、規格サイズ以外に、例えば現場において必要な長さに切断してもの使用しても良い。
【００２９】
また、多孔アングル材として、配管の支持強度に問題がなければ、縦辺及び横辺の両方に長穴を所定ピッチで形成した多孔アングル材を使用しても良い。
【００３０】
また、本考案は上記の実施形態に限定されず、その目的と利点を損なうことのない適宜の変形を含み、更に上記の実施形態に示した数値による限定は受けない。
【符号の説明】
【００３１】
１０：配管支持装置
１２：多孔アングル材
１４：長孔
１６：アングル連結装置
１８：アングル取付部
２０：板部
２６：ボルト
２８：ナット
３２，３８：吊りボルト
３４：配管
３６：Ｕ形ボルト
４０：配管支持金具
【図１】
0003183555.tif 000003
【図２】
0003183555.tif 000004
【図３】
0003183555.tif 000005
【図４】
0003183555.tif 000006
【図５】
0003183555.tif 000007
【図６】
0003183555.tif 000008